(57)【要約】【課題】着用者等に対して吸収性に関して不安感を与えることがなく、かつ、吸収体の位置ずれを目立たせることがない吸収体物品の提供。【解決手段】吸収性物品１０の吸収体２０は、第１方向Ｙへ延び、かつ、表裏面側から透視可能な第１及び第２縁２０ｃ，２０ｄを有する。吸収性物品の第１縁部１７には吸収体２０の第１縁２０ｃ、第２縁部１８には吸収体２０の第２縁２０ｄがそれぞれ位置しており、裏面シート１２の外面には、第１及び第２縁部１７，１８のうちの第１縁部１７にのみ、第１方向Ｙへ延びる装飾域４０が配置されている。第１縁部１７において装飾域４０と吸収体２０の第１縁２０ｃとが平面視において互いに重なり合っている。【選択図】図４
2020005846.tif 000002
【特許請求の範囲】
【請求項１】
第１方向及びそれに直交する第２方向を有し、前記第２方向の寸法を２等分する第１中心線と、透液性の表面シートと、不透液性の裏面シートと、前記表裏面シート間に介在された吸収体とを備えた吸収性物品において、
前記第１方向へ延び、かつ、互いに前記第２方向において対向して位置する第１及び第２縁部を有し、
前記吸収体は、前記第１方向へ延び、かつ、表裏面側から透視可能な第１及び第２縁を有し、
前記第１縁部には前記吸収体の前記第１縁、前記第２縁部には前記吸収体の前記第２縁がそれぞれ位置しており、
前記裏面シートには、前記第１及び第２縁部のうちの前記第１縁部にのみ、前記第１方向へ延びる装飾域が配置されており、
前記第１縁部において前記装飾域と前記吸収体の第１縁とが平面視において互いに重なり合っていることを特徴とする前記吸収性物品。
【請求項２】
前記装飾域の内側縁は、前記第１中心線に対して起伏を繰り返して前記第１方向へ延びており、
前記装飾域の前記内側縁と前記第１中心線との前記第２方向における離間距離が、前記第１方向において一定ではない請求項１に記載の吸収性物品。
【請求項３】
前記装飾域は、互いに独立した複数の着色された装飾部を有し、前記複数の着色された装飾部は、一部が互いに重なり合うように配置されている請求項１又は２に記載の吸収性物品。
【請求項４】
前記装飾域は、前記装飾部間に形成された非装飾部を有する請求項３に記載の吸収性物品。
【請求項５】
前記装飾域の前記第１方向の寸法は、前記吸収体の前記第１縁の前記第１方向の寸法の半分以上の大きさを有し、前記装飾域において前記装飾部は前記第２方向の外側に密に配置されている請求項３に記載の吸収性物品。
【請求項６】
前記複数の着色された装飾部は、着色された色が前記第２方向の内側へ向かうにつれて次第に濃くなっている請求項３に記載の吸収性物品。
【請求項７】
前記装飾域が、前記吸収体の前記第２方向へ延びる第３縁の一部と重なる請求項１−６のいずれかに記載の吸収性物品。
【請求項８】
前記第１方向において互いに対向する第１域及び第２域と、前記第１域と第２域との間に位置する中間域とに区分されており、
前記第１縁部の外形線は、前記第１中心線に対して起伏を繰り返して前記第１方向へ延びており、前記第１縁部の前記外形線と前記吸収体の前記第１縁との前記第２方向における離間寸法が、前記第１域、前記第２域及び前記第３域において互いに異なる請求項１−６のいずれかに記載の吸収性物品。
【請求項９】
前記吸収体は、前記第１方向へ延びるスリットを有し、前記スリットは前記第１及び第２縁部の少なくとも前記第１縁部側に形成されており、前記第１縁部において前記装飾域と前記スリットとが互いに重なる請求項１−８のいずれかに記載の吸収性物品。
【発明の詳細な説明】
【技術分野】
【０００１】
この発明は吸収性物品に関し、より詳しくは、軽失禁パッド、パンティライナ、生理用ナプキン、おりもの吸収用パッド、尿吸収パッド、大人用及び子供用の使い捨ておむつ等の吸収性物品に関する。
【背景技術】
【０００２】
従来、裏面シートの外面に装飾域を有する吸収性物品は、知られている。例えば、特許文献１には、透液性の表面シートと、不透液性の裏面シートと、表裏面シート間に介在された吸収体とを備える吸収性物品が開示されている。
【先行技術文献】
【特許文献】
【０００３】
【特許文献１】米国特許公開２０１６／０３３１５９８号公報（ＵＳ２０１６／０３３１５９８Ａ１）
【０００４】
特許文献１に開示された吸収性物品においては、裏面シートの外面に装飾域が位置し、装飾域が外面から透視可能な吸収体の外形輪郭と重なることで、吸収体が吸収性物品の中心から位置ずれしていても目立たなくなっている。
【発明の概要】
【発明が解決しようとする課題】
【０００５】
しかし、装飾域が吸収体の外形輪郭全体と重なっていることから、着用者または着用補助者が、吸収体の存在域を把握することができず、体液の吸収性に関して不安感を与えてしまうおそれがある。また、装飾域が吸収体の外形輪郭の両端及び／または両側において対称したデザインを有することから、吸収体がわずかに位置ずれしていた場合であっても、その位置ずれを目立たせてしまうおそれがあるという課題を有していた。
【０００６】
本発明は、前記課題に対し、着用者等に対して吸収性に関して不安感を与えることがなく、かつ、吸収体の位置ずれが目立ち難い吸収体物品の提供を目的とする。
【課題を解決するための手段】
【０００７】
本発明は、第１方向及びそれに直交する第２方向を有し、前記第２方向の寸法を２等分する第１中心線と、透液性の表面シートと、不透液性の裏面シートと、前記表裏面シート間に介在された吸収体とを備えた吸収性物品に関する。
【０００８】
本発明に係る吸収性物品は、前記第１方向へ延び、かつ、互いに前記第２方向において対向して位置する第１及び第２縁部を有し、前記吸収体は、前記第１方向へ延び、かつ、表裏面側から透視可能な第１及び第２縁を有し、前記第１縁部には前記吸収体の前記第１縁、前記第２縁部には前記吸収体の前記第２縁がそれぞれ位置しており、前記裏面シートには、前記第１及び第２縁部のうちの前記第１縁部にのみ、前記第１方向へ延びる装飾域が配置されており、前記第１縁部において前記装飾域と前記吸収体の前記第１縁とが平面視において互いに重なり合っていることを特徴とする。
【０００９】
本発明に係る吸収性物品は、以下の実施態様を含む。下記の実施態様は、単独の構成のほかに、任意に選択して複数の実施態様に係る構成を組み合わせることができる。
（１）前記装飾域の内側縁は、前記第１中心線に対して起伏を繰り返して前記第１方向へ延びており、前記装飾域の前記内側縁と前記第１中心線との前記第２方向における離間距離が、前記第１方向において一定ではない。
（２）前記装飾域は、互いに独立した複数の着色された装飾部を有し、前記複数の着色された装飾部は、一部が互いに重なり合うように配置されている。
（３）前記装飾域は、前記装飾部間に形成された非装飾部を有する。
（４）前記装飾域の前記第１方向の寸法は、前記吸収体の前記第１縁の前記第１方向の寸法の半分以上の大きさを有し、前記装飾域において前記装飾部は前記第２方向の外側に密に配置されている。
（５）前記複数の着色された装飾部は、着色された色が前記第２方向の内側へ向かうにつれて次第に濃くなっている。
（６）前記装飾域が、前記吸収体の前記第２方向へ延びる第３縁の一部と重なる。
（７）前記第１方向において互いに対向する第１域及び第２域と、前記第１域と第２域との間に位置する中間域とに区分されており、前記第１縁部の外形線は、前記第１中心線に対して起伏を繰り返して前記第１方向へ延びており、前記第１縁部の前記外形線と前記吸収体の前記第１縁との前記第２方向における離間寸法が、前記第１域、前記第２域及び前記第３域において互いに異なる。
（８）前記吸収体は、前記第１方向へ延びるスリットを有し、前記スリットは前記第１縁部及び第２縁部の少なくとも前記第１縁部側に形成されており、前記第１縁部において前記装飾域と前記スリットとが互いに重なる。
【発明の効果】
【００１０】
本発明の吸収性物品においては、着用者等に吸収体の位置ずれを把握され難く、かつ、吸収性に関しての不安感を低減することができる。
【図面の簡単な説明】
【００１１】
図面は、本発明の特定の実施の形態を示し、発明の不可欠な構成ばかりでなく、選択的及び好ましい実施の形態を含む。
【図１】第１実施形態に係る吸収性物品の一例として示す、生理用ナプキンを裏面側から視た平面図。
【図２】生理用ナプキンを表面側から視た平面図。
【図３】吸収体を裏面側から視た平面図。
【図４】図１と同様の生理用ナプキンを裏面側から視た平面図。
【図５】（ａ）図４の一点鎖線Ｖ（ａ）で囲んだ領域の一部拡大図。（ｂ）図４の一点鎖線Ｖ（ｂ）で囲んだ領域の一部拡大図。
【図６】生理用ナプキンの変形例の一例における、図２と同様の生理用ナプキンを表面側から視た平面図。
【図７】生理用ナプキンの他の変形例の一例における、図４と同様の生理用ナプキンを裏面側から視た平面図。
【発明を実施するための形態】
【００１２】
下記の実施の形態は、添付の図面に示す吸収性物品に関し、発明の不可欠な構成ばかりではなく、選択的及び好ましい構成を含む。以下、添付の図面を参照して、この発明に係る吸収性物品の一例である生理用ナプキン１０の実施形態を説明する。生理用ナプキン１０は、縦方向（第１方向又は第２方向）Ｙと、横方向（第２方向又は第１方向）Ｘと、厚さ方向Ｚとを有する。
【００１３】
図１〜３を参照すると、生理用ナプキン１０は、その横方向における寸法を２等分する縦断中心線（第１中心線）Ｐと縦方向Ｙの寸法を２等分する横断中心線（第１中心線）Ｑとを有し、肌対向面側及びその反対側の非肌対向面側と、肌対向面側に位置する透液性の表面シート１１と、非肌対向面側に位置する不透液性の裏面シート１２と、これら両シート１１，１２間に位置する吸液性の吸収体２０とを含む。
【００１４】
生理用ナプキン１０は、略十字状の形状を有し、その外形線（外郭線）は、縦方向Ｙの内側に向かって凹曲する第１及び第２端縁１０ａ，１０ｂと、横断中心線Ｑと交差する部分において横方向Ｘの外側へ凸曲する第１及び第２側縁１０ｃ，１０ｄとから画成されている。
【００１５】
なお、図示していないが、生理用ナプキン１０の柔軟性を向上させるために、表面シート１１と吸収体２０との間に比較的に嵩高の繊維不織布製の中間シートを配置してもよい。
【００１６】
生理用ナプキン１０は、説明の便宜上、縦方向Ｙにおいて、第１端縁１０ａ側に位置する第１端域３１と、第２端縁１０ｂ側に位置する第２端域３２と、第１端域３１と第２端域３２との間に位置する中間域３３とに区分される。また、生理用ナプキン１０は、横方向Ｘにおいて、縦断中心線Ｐと第１側縁１０ｃとの間に位置する第１側域３４と、縦断中心線Ｐと第２側縁１０ｄとの間に位置する第２側域３５とに区分される。第１及び第２側縁１０ｃ，１０ｄ（第１及び第２側縁部１７，１８）は、複数の括れ部を有する非流線形状であって、第１端域３１、第２端域３２及び中間域３３のそれぞれにおいて互いに異なる形状を有する。なお、第１及び第２端域３１，３２と中間域３３とは、それぞれ、生理用ナプキン１０の縦方向Ｙの寸法を略３等分した縦寸法を有する領域であってもよいし、各領域３１−３３が、それぞれ、生理用ナプキン１０の縦方向の寸法の２０〜５０％の大きさを有するものであってもよい。
【００１７】
吸収体２０は、生理用ナプキン１０の外形線に沿う外形を有し、第１端縁１０ａと対向する第１端縁２０ａと第２端縁１０ｂと対向する第２端縁２０ｂと、第１及び第２端縁１０ａ，１０ｂ間において縦方向へ延びる第１及び第２側縁２０ｃ，２０ｄとを有する。吸収体２０の第１及び第２側縁２０ｃ，２０ｄは、生理用ナプキン１０の第１及び第２側縁１０ｃ，１０ｄの形状に沿うように、複数の括れ部を有する非流線形状を有する。
【００１８】
吸収体２０は、所要の形状に賦形された吸液性コアを含んでおり、コアラップシートに包被されていることが好ましい。吸液性コアは、不水溶性の超吸収性ポリマー粒子（ＳＡＰ粒子）と、フラップ木材パルプ（パルプ繊維）やレーヨン繊維等のセルロース系繊維とからなる吸収性・離散性材料を有する。
【００１９】
表裏面シート１１，１２は、吸収体２０の外周から外方へ延出しており、表面シートの肌対向面側には、横方向において互いに対向するように縦方向Ｙへ延びる一対のサイドシート１４が配置される。一対のサイドシート１４は、表面シート１１にサイド接着部を介して接合される。
【００２０】
生理用ナプキン１０は、縦方向Ｙにおいて互いに対向して横方向Ｘへ延びる第１及び第２端部（第１縁部または第２縁部）１５，１６と、横方向Ｘにおいて互いに対向して縦方向Ｙへ延びる第１及び第２側縁部（第１縁部または第２縁部）１７，１８とを有する。第１及び第２側縁部１７，１８は、それぞれ、横方向Ｘの外側へ凸となるウイング部１９を有する。第１端部１５と第２端部１６とには、それぞれ、吸収体２０の第１端縁２０ａと第２端縁２０ｂとが位置し、第１側縁部１７と第２側縁部１８とには、それぞれ、吸収体２０の第１側縁２０ｃと第２側縁２０ｄとが位置する。生理用ナプキン１０は、吸収体２０の外周縁から延出する外周縁部をさらに有する。外周縁部を形成するように互いに積層されたシートは、生理用ナプキン１０の外周縁に沿って位置する外周シール部７を介して互いに接合されている。生理用ナプキン１０の外周にシートを熱溶着した外周シール部７が位置することによってその外形状が明瞭になるといえる。
【００２１】
生理用ナプキン１０は、３つ折りにされた状態で個包装体に収容される。個包装体は、包装シートと生理用ナプキン１０とを折り畳んで形成されるものであって、生理用ナプキン１０は、折り畳むときに形成される縦方向Ｙへ延びる第１折曲ライン１０１と第２折曲ライン１０２とを有する。第１及び第２折曲ライン１０１，１０２は、一対のウイング部１９の基端部分と重なるように縦方向Ｙへ延びている。
【００２２】
吸収体２０のウイング部１９間に位置する領域は、着用者の膣口対向域であって、該領域には、吸収体２０が他の部分に比して肉厚にされた中高部分２１が位置する。吸収体２０は、生理用ナプキン１０を構成するシート材料に比して高剛性または半剛性であって、所要の厚さ寸法を有することから、その外形線は表面シート１１及び裏面シート１２を介して生理用ナプキン１０の表面側及び裏面側から透視される。生理用ナプキン１０がウイング部１９を有していない場合には、縦方向Ｙにおいて、生理用ナプキン１０の第１折曲線１０１と第２折曲線１０２との間に配置されていることが好ましい。
【００２３】
図示していないが、生理用ナプキン１０の裏面側には、複数の止着域が配置される。複数の止着域は、生理用ナプキン１０を下着等の被服に止着するためのものであって、縦方向Ｙへ延びる複数のライン状に塗布された粘着剤や感圧性接着剤から形成される。
【００２４】
表面シート１１には、開口プラスチックフィルム、織布、不織布等の、体液に含まれる液体成分を透過可能なシートを好適に用いることができる。裏面シート１２には、ポリエチレン、ポリプロピレン等の熱可塑性樹脂を主体とした熱可塑性樹脂フィルム、通気性を付与した熱可塑性樹脂フィルムなどを好適に用いることができる。サイドシート１４には、表面シート１１と同様のシート材を用いることができる。但し、生理用ナプキン１０の外側へ体液が流れにくくするためには、疎水性もしくは撥水性を有するシート材を用いることが好ましい。
【００２５】
外周シール部７における各シートの接合は、接着剤による接合、超音波溶着、熱溶着、レーザー溶着、高周波溶着等の公知の溶着手段による接合、及びエンボス加工による接合を、単独又は組み合わせて行うことができる。また、厚さ方向Ｚにおいて積層されたシートは、ホットメルト接着剤等の接着剤を介して互いに接合される。ホットメルト接着剤の塗工方法としては、スパイラル塗工、コーター塗工、カーテンコーター塗工、スプレー塗工などの各種公知の塗工方法が挙げられる。
【００２６】
裏面シート１２には、装飾域４０が配置される。装飾域４０は、着色された複数の装飾部４１を有する。装飾部４１は、大小の略三角形であって、生理用ナプキン１０の第１及び第２側域３４，３５うちの第１側域３４にのみ互いに独立した状態で配置されている。装飾部４１は、縦方向Ｙ及び横方向Ｘにおいて互いに間隔を空けて配置されている態様、平面視において一部が互いに重なり合っている態様等の複数の配置態様を有する。装飾域４０は、裏面シート１２の内面又は外面のいずれに配置されていてもよい。ただし、印刷によるインクの脱落を防止するために、裏面シート１２の内面に装飾域４０が配置されていることが好ましい。
【００２７】
本明細書における「白色」とは、マンセル表色系で「Ｎ９．５」と表される色や、ＲＧＢ色空間で「２５５，２５５，２５５」と表される色、所謂、「真っ白」を例示することができる。また、「真っ白」と同じ系統色である、色、具体的には、「真っ白」との色差が０以上、１２未満である色も「白色」に含まれる。「白色」以外の色が有色であり、寒色はこの部類に属する。具体的には、上記に定義した「白色」との色差が４０以上の色であることが好ましい。白色の特定方法は、白色に対する色差で比較でき、例えば、コニカミノルタ社製の色彩色差計ＣＲ−３００を用いて特定することができる。
【００２８】
装飾部４１は、本発明の後記の技術的効果を奏する限りにおいて、図示した形状のほかに、略円形、略楕円形、略四角形、略台形、略星形、花弁形及びその他の各種公知の装飾模様、文字、キャラクター等の形状を有していてもよい。また、装飾部４１は全体として着色されており、着色される色は、酸化チタン等の白色顔料を添加することによって白色化された生理用ナプキンを構成するシート材料及び吸収性コアと視覚上明瞭に識別できる色であればよく、例えば、赤色、青色、黄色、緑色等の着用者等の注意を惹きつけるような色合いであることが好ましい。また、裏面シート１２全体が白色以外に着色されている場合には、装飾部４１は、その着色されて色と補色関係にある色に着色されていることが好ましい。
【００２９】
装飾部４１は、それと重なる吸収体２０の外郭線の形状が視覚上不明瞭になる限りにおいて、全体が着色されていなくてもよく、外形ラインのみが着色されたデザインであってもよい。また、裏面シート１２の外面が不織布から形成されている場合には、着色されていない凹凸状のエンボス模様であってもよい。かかるエンボス模様であっても、光の屈折等によってそれに重なる吸収体２０の外郭線の形状がぼやけて着用者等に明瞭に視認されないようにすることができる。
【００３０】
装飾域４０は、第１及び第２側縁部１７，１８のうちの第１側縁部１７にのみ配置されており、平面視認において、吸収体２０の第１及び第２側縁２０ｃ，２０ｄのうちの第１側縁２０ｃのみと重なって位置している。着色された装飾域４０が吸収体２０の第１側縁２０ｃとのみ平面視において重なることによって、吸収体２０の両側縁２０ｃ，２０ｄのうちの第２側縁２０ｄのみが表面側及び裏面側から明瞭に透視されることから、着用者または着用補助者は吸収体２０の存在自体を認識しうるが、その外郭線を正確に把握することができない。したがって、例えば、生理用ナプキン１０の高速製造ライン上において吸収体２０が縦断中心線Ｐに関して位置ずれした場合、すなわち、第１側縁２０ｃまたは第２側縁２０ｄ側へ偏倚して配置された場合であっても、位置ずれしていることを着用者等に把握されることはない。
【００３１】
着用者等が一見して、生理用ナプキン１０は吸収体２０が正規な位置から位置ずれした製品であると認識されることはないことから、かかる位置ずれした製品を製造工程において不良品として処理する必要はなく、不良品の発生時に製造ラインを停止することによる生産性の低下や不良品を廃棄することによる製品コストの負担を低減することができる。
【００３２】
また、着用者等は、生理用ナプキン１０を個包装から取り出したときに、瞬時に、生理用ナプキン１０の外形輪郭と吸収体２０の外形輪郭とを認識して、それらの外形輪郭間の距離を把握することができる。このとき、吸収体２０が横方向Ｘに位置ずれしているように見えた場合には、吸収体の品質や吸収性能に問題がなくても、製品自体の品質が悪くて粗悪品のような印象を与えてしまうおそれがある。実際には、吸収体２０が横方向Ｘへ多少位置ずれしていたとしても吸収性能が低下する等の品質上の問題が生じることはないが、着用者に対して品質の誤認を与えないようにするために、できるだけ吸収体２０が横方向Ｘへ位置ずれしていることを把握されないようにすることが好ましい。そのためには、着用者に対して一見して、吸収体２０の外形輪郭、および、生理用ナプキン１０外形輪郭と吸収体２０の外形輪郭との距離を把握されないことが好ましい。
【００３３】
着用者に対して、吸収体２０の外形輪郭や生理用ナプキン１０外形輪郭と吸収体２０の外形輪郭との距離を把握されないようにするためには、第１側縁２０ｃのみならず第２側縁２０ｄと平面視において重なるように装飾域４０を配置することも考えられるが、かかる場合には、吸収体２０の両側縁２０ｃ，２０ｄを把握することができなくなって、着用者等に対して体液の吸収性、特に体液の横漏れに対する不安感を与えてしまうおそれがある。
【００３４】
本実施形態に係る生理用ナプキン１０においては、裏面シート１２の第１側縁部１７にのみ装飾域４０が位置することから、吸収体２０の第１側縁２０ｃが視認されることはなく、吸収体２０が多少横方向Ｘに位置ずれしていたとしても、吸収体２０の外形輪郭及び生理用ナプキン１０の外形輪郭と吸収体２０の外形輪郭との離間距離を把握されて位置ずれしているとの印象を与えることはないから、吸収性能や品質等に関しての不安感を低減することができる。また、第２側縁部１８に位置する吸収体２０の第２側縁２０ｄは明瞭に視認されることから、吸収体２０が幅狭であるとの印象を与えることはなく、着用者等に対して吸収性及び体液の横漏れに関して不安感を低減することができる。
【００３５】
また、吸収体２０は所要の厚さ寸法を有することから、装飾域４０と重なる吸収体２０の第１側縁２０ｄに沿って段差が生じる場合であっても、第１側縁部１７と第２側縁部１８とにおいて非対称のデザインを有することから、第１側縁部１７の装飾域４０が着用者等の注意を惹きつけて、かかる段差を目立たなくさせて吸収体２０の位置ずれが把握されるのを抑制することができる。
【００３６】
装飾域４０は、少なくとも第１側縁部１７に位置して吸収体２０の第１側縁２０ｃと平面視において互いに重なり合っているものであって、第１側域３４の縦方向Ｙ全域に配置されていてもよい。かかる場合には、吸収体２０の第１側縁部２０ｃ側の形状を視認され難くすることによって、より吸収体２０の外形を把握され難くすることができる。また、装飾域４０は、第１側縁部１７において吸収体２０の第１側縁２０ｃと平面視において重なる限りにおいて、ウイング部１９を含めた第１側縁２０ｃの横方向Ｘの外側に位置する部分に配置されていなくてもよい。
【００３７】
図４において太い一点鎖線で示す、装飾域４０の内側縁４０ａ、すなわち、複数の装飾部４１のうちの縦断中心線Ｐ側に位置する部分を縦方向Ｙへ非連続的につなげて形成される仮想ラインは、縦断中心線Ｐに対して起伏した形状を有している。具体的には、図５（ａ）を参照すると、装飾部４１は、ランダムな大きさ、位置、向きを有するように配置されており、任意の装飾部４１Ａの先端と縦断中心線Ｐとの横方向Ｘにおける離間寸法Ｒ１と、任意の装飾部４１Ｂの先端と縦断中心線Ｐとの横方向Ｘにおける離間寸法Ｒ２とは互いに異なっている。装飾部４１が不規則に配置されることから、縦方向Ｙへ並ぶ複数の装飾部４１の離間寸法はすべて異なり、内側縁４０ａはジクザク状に縦方向Ｙへ非連続的に延びているといえる。このように、装飾域４０の内側縁４０ａが縦断中心線Ｐに対して起伏した形状を有することから、それが直線状である場合に比して、着用者等の注意を装飾域４０により強く引き付けて、縦方向Ｙへ延びる吸収体２０の第１側縁２０ｃの形状が把握されるのを抑制することができる。
【００３８】
装飾域４０の装飾部４１は、略三角形状であって、第１側縁部１７の第１側縁１０ｃ側から縦断中心線Ｐへ向かって先鋭状に延びた形状を有している。装飾部４１がかかる形状を有することによって、装飾域４０を形成する装飾部４１の面積は、縦断中心線Ｐ側よりも吸収体２０の第１側縁２０ｃが位置する第１側縁１０ｃ側の方が相対的に大きくなるので、装飾部４１の総面積を抑制しつつ効果的に吸収体２０の外形が把握されるのを防止するができる。また、円形状や縦方向Ｙの外側へ先鋭状に延びている場合に比べて、装飾部４１の先端が縦断中心線Ｐ側へ向いていることによって、着用者等の視線が無意識的に吸収体２０の第１側縁２０ｃ側よりも縦断中心線Ｐ側へ向かうので、第１側縁２０ｃの外形が注視されるのを抑制することができる。
【００３９】
図２を参照すると、生理用ナプキン１０の表面視においては、吸収体２０が装飾域４０の位置する裏面シート１２の上方に位置することから、装飾域４０のうちの縦断中心線Ｐ側に位置する部分が吸収体２０によって視認され難い。また、装飾域４０の着色された色によっては、例えば吸収体２０が白色の場合にはその白色が強調されて見えてしまうことがあり、第１側縁２０ｃの横方向Ｘの外側において透視される装飾域４０によって、かえって第１側縁２０ｃの形状が明瞭になってしまうおそれがある。
【００４０】
本実施形態においては、装飾部４１が互いに独立した形状を有していることから、装飾域４０は、装飾部４１間に位置する、装飾部４１が配置されていない複数の非装飾部４２を有する。複数の装飾部４１によって吸収体２０の第１側縁２０ｃが視認され難くなる部分と、複数の非装飾部４２によって第１側縁２０ｃが不明瞭に視認される部分とが混在することで第１側縁２０ｃの形状がはっきりと視認されずに、吸収体２０の外形を把握されるのを抑制することができる。
【００４１】
装飾域４０の縦方向Ｙの寸法は、吸収体２０の第１側縁２０ｃの縦方向Ｙの寸法Ｌ１の少なくとも半分以上、好ましくは６０％以上の大きさ、好ましくは８０％以上の大きさを有する。装飾域４０の縦方向Ｙの寸法が吸収体２０の第１側縁２０ｃの縦方向Ｙの寸法Ｌ１の半分以上の大きさを有することによって、吸収体２０の第１側縁２０ｃの大部分が装飾域４０によって視認され難くなり、外形が把握されるのを抑制することができる。
【００４２】
また、装飾域４０では、縦断中心線Ｐ側に比べて第１側縁１０ｃ側において装飾部４１が密に配置されている。横方向Ｘにおいて装飾部４１を疎密に配置することによって、装飾域４０は色の濃度のコントラストによる装飾要素を有するので、着用者の注意を惹きつけて、吸収体２０の第１側縁２０ｃが明瞭に視認され難くなるといえる。
【００４３】
装飾部４１に着色された色は、横方向Ｘの内側へ向かうにつれて次第に濃くなっている。このように、装飾部４１の着色された色がグラデーションを有することによって、装飾域４０が不規則なデザインを有し、着用者等に一見して吸収体２０の外形を把握され難くすることができる。
【００４４】
図５（ｂ）を参照すると、装飾域４０の一部は、平面視において、横方向Ｘへ延びる吸収体２０の第１端縁２０ａの一部と重なっている。具体的には、装飾部４１のうちの装飾部４１Ｄ，４１Ｅ，４１Ｆが第１端縁２０ａの一部と重なっている。このように、装飾域４０が、縦方向Ｙへ延びる第１側縁２０ｃのみならず、それに交差して横方向Ｘへ延びる第１端縁２０ａの一部と重なることによって、吸収体２０の外形が把握されるのをより効果的に抑制しうる。
【００４５】
第１及び第２側縁部１７、１８は、複数の括れ部を有する非流線形状であって、生理用ナプキン１０の第１端域３１、第２端域３２及び中間域３３のそれぞれにおいて互いに異なる形状を有する。また、図４を参照すると、第１端域３１における第１及び第２側縁１０ｃ，１０ｄと吸収体２０の第１及び第２側縁２０ｃ，２０ｄとの横方向Ｘの離間寸法Ｗ１、第２端域３２における第１及び第２側縁１０ｃ，１０ｄと吸収体２０の第１及び第２側縁２０ｃ，２０ｄとの横方向の離間寸法Ｗ３、中間域３３における第１及び第２側縁１０ｃ，１０ｄと吸収体２０の第１及び第２側縁２０ｃ，２０ｄとの横方向の離間寸法Ｗ２とは、互いに異なる大きさを有する。このように、離間寸法Ｗ１−Ｗ３がそれぞれ異なることから、第１側縁部１７に位置する装飾域４０の面積（装飾部４１の面積の合計）が縦方向Ｙの各域３１−３３において異なって、装飾域４０のデザイン性が向上して着用者等の注意を惹きつけ、吸収体２０の第１側縁２０ｃの形状や位置を注視しないようにすることができる。
【００４６】
図６は、生理用ナプキン１０の変形例の一例における模式的平面図であって、吸収体２０の両側縁部には、縦方向Ｙへ延びるスリット５１、５２が形成されている。第１側縁部１７において、装飾域４０とスリット５１が平面視において互いに重なり合っている。装飾域４０がスリット５１と重なることによって、生理用ナプキン１０の表面視において、裏面シート１２の外面に位置する装飾域４０の裏面が直接視認されることから、装飾域４０がより明瞭に視認されて吸収体２０の外形が把握され難くなる。
【００４７】
なお、図６では、一対のスリット５１，５２を介して裏面シート１２の装飾域４０を視認可能としているが、これに限られるものではない。例えば、吸収体２０の全体又は一部に、縦方向Ｙ及び/又は横方向Ｘへ延びる透視可能要素を配置し、生理用ナプキン１０の表面側からも裏面シート１２の装飾域４０を視認させるようにすることによって、吸収体２０の外形が把握され難くしてもよい。透視可能要素は、例えば、吸収体２０の一部において他の部分に比べて低質量となっている部分、エンボス加工等による圧縮凹部によって肉薄となっており、装飾域４０と表面シート１１との離間距離を縮めることで透視され易くしている部分であってもよいし、装飾域４０の着色された色の色相を吸収体２０の色の色相と大きく変えることでより透視され易くすることも含む。
【００４８】
図７は、生理用ナプキンの変形例の他の一例における模式的平面図である。本変形例においては、第１及び第２端部１５，１６のうちの第１端部１５にのみ装飾域４０が位置し、かつ、平面視において、装飾域４０は吸収体２０の第１端縁２０ａと互いに重なり合っている。このように、生理用ナプキン１０の第１端部１５にのみ装飾域４０が位置することによって、生理用ナプキン１０の裏面側及び装飾域４０が透視される表面側において、縦方向Ｙの両端において異なるデザインを有する。
【００４９】
吸収体２０の第１端縁２０ａが装飾部４０によって明瞭に視認されないことから、製造工程において吸収体２０が縦方向Ｙに位置ずれした場合であっても、かかる位置ずれを着用者等に把握されるのを抑制することができる。また、第２端部１６には装飾域４０が位置しておらず、表裏面側において吸収体２０の第２端縁２０ｃの形状は明瞭に視認されることから、着用者等に対して吸収性及び縦方向Ｙの外側に体液が漏れることによる不安感を与えるおそれはない。
【００５０】
ここで、「吸収体２０が横方向Ｘに位置ずれしている」とは、生理用ナプキン１０の縦断中心線Ｐに対して吸収体２０の横方向Ｘの寸法を２等分する縦断中心線が第１側縁１０ｃ側又は第２側縁１０ｄ側に１０ｍｍ未満位置ずれしている状態を意味する。横方向Ｘの位置ずれは、好ましくは５ｍｍ未満であって、かかる場合には、第１側縁１０ｃ側に位置する装飾域４０によってその位置ずれが着用者等に把握されるのを抑制することができる。
【００５１】
以上のように、装飾域４０は、生理用ナプキン１０の意匠性を高めるとともに、吸収体２０の縦方向Ｙまたは横方向Ｘの位置ずれが把握されるのを抑制するために配置されるものである限りにおいて、吸収体２０の第１側縁２０ｃまたは第２側縁２０ｄと重なるように配置されていてもよいし、第１端縁２０ａまたは第２端縁２０ｂと重なるように配置されていてもよい。
【００５２】
したがって、吸収体２０の縦方向Ｙ又は横方向Ｘにおける位置ずれが把握されるのを抑制するためには、装飾域４０は、生理用ナプキン１０の第１及び第２縁部（第１及び第２側縁部１７，１８、または、第１及び第２端部１５，１６）のうちの第１縁部においてのみ、第１方向（縦方向Ｙまたは横方向Ｘ）へ延びるように配置されて、吸収体２０の第１縁（第１側縁２０ｃ又は第１端縁２０ａ）と平面視において互いに重なっていればよい。
【００５３】
吸収性物品１０を構成する各構成部材には、特に明記されていない限りにおいて、本明細書に記載されている材料のほかに、この種の分野において通常用いられている、各種公知の材料を制限なく用いることができる。また、本明細書及び特許請求の範囲において使用されている、「第１」、「第２」及び「第３」の用語は、同様の要素、位置等を単に区別するために用いている。
【符号の説明】
【００５４】
１０  吸収性物品（生理用ナプキン）
１１  表面シート
１２  裏面シート
１７  第１縁部（第１側縁部）
１８  第２縁部（第２側縁部）
２０  吸収体
２０ａ  第３縁（第１端縁）
２０ｃ  第１縁（第１側縁）
２０ｄ  第２縁（第２側縁）
３１  第１域（第１端域）
３２  第２域（第２端域）
３３  第３域（中間域）
４０  装飾域
４０ａ  内側縁
４１  装飾部
４２  非装飾部
５１  スリット
５２  スリット
Ｌ１  吸収体の第１縁の第１方向の寸法（吸収体の第１側縁の縦方向Ｙの寸法）
Ｘ  第２方向（横方向，縦方向）
Ｙ  第１方向（縦方向，横方向）
Ｐ  第１中心線（縦断中心線）
Ｑ  第１中心線（横断中心線）
【図１】
2020005846.tif 000003
【図２】
2020005846.tif 000004
【図３】
2020005846.tif 000005
【図４】
2020005846.tif 000006
【図５】
2020005846.tif 000007
【図６】
2020005846.tif 000008
【図７】
2020005846.tif 000009